(57)【要約】【課題】光電変換機能を具えたコネクタを提供する。【解決手段】  音声信号コネクタの一側面に複数のレセプタクルを設け、レセプタクルから離れた別の面に対応して電信信号端子を挿入設置できる複数の収容空間を設け、且つ音声信号コネクタの後ろ側にスペーサを嵌設し、スペーサは通孔を複数具えた台座を設け、台座の通孔に音声信号コネクタの電信信号端子を挿入固定できるようにし、更に、音声信号コネクタの収容空間に光電変換モジュールを収容し、光電変換モジュールの光電変換ユニットが音声信号コネクタのレセプタクルに向かい合うようにして、光ファイバ信号円柱型プラグをレセプタクルに差し込むと、光電変換ユニットと共に光電変換回路を形成する。【選択図】  図  ２【実用新案登録請求の範囲】
【請求項１】
光電変換機能を具えたコネクタにおいて、音声信号コネクタの一側に複数のレセプタクルを設け、レセプタクルから離れた別の側面に、対応して電信信号端子を挿入設置できる複数の収容空間を設け、音声信号コネクタの後ろ側にスペーサを嵌設し、スペーサには複数の通孔を具えた台座を設け、台座の通孔に音声信号コネクタの電信信号端子を挿入設置して固定し、
該音声信号コネクタの複数の収容空間は少なくとも一個或いは一個以上の光電変換モジュールを収容し、光電変換モジュールの光電変換ユニットは音声信号コネクタのレセプタクルと向い合うようにし、光ファイバ信号円形プラグをレセプタクルに挿入すると、光電変換ユニットとともに光電変換回路を形成するようにして成ることを特徴とする光電変換機能を具えたコネクタ。
【請求項２】
該光電変換モジュールには固定孔を具える基板を設け、固定孔から離れた別の側面に容室を設け、光電変換ユニットを基板の容室内に収容できるようにして成ることを特徴とする請求項１記載の光電変換機能を具えたコネクタ。
【請求項３】
該光電変換モジュールは基板の容室の両側壁面に突出してフックを設け、基板の容室に設けたフックは光電変換ユニットの表面に承接されるようにして成ることを特徴とする請求項２記載の光電変換機能を具えたコネクタ。
【請求項４】
該スペーサは台座の一側部から延伸して複数の光電信号端子を挿入設置できるベースを設け、光電変換ユニットに複数の信号端子を設け、光電変換ユニットの信号端子はスペーサの光電信号端子と電気的接続を形成できるようにして成ることを特徴とする請求項１記載の光電変換機能を具えたコネクタ。
【請求項５】
該スペーサの台座両側の前端に延伸してフック受部を設け、音声信号コネクタの底部両側には延伸してフックを設け、音声信号コネクタのフックをスペーサの附空受部に係合して固定を形成するようにして成ることを特徴とする請求項１記載の光電変換機能を具えたコネクタ。
【考案の詳細な説明】
【技術分野】
【０００１】
本考案は光電変換機能を具えたコネクタに関し、特に音声信号コネクタの収容空間内に光電変換モジュールを収容して、音声信号コネクタが同時に電信信号と光電信号伝送の機能を具えるようにした光電変換機能を具えたコネクタに関する。
【背景技術】
【０００２】
現在マルチメディアのシステムでは、音声信号を担当するコネクタは音声信号プラグしか差し込めず、電信信号の伝送に使用しているが、この種の音声信号プラグは信号伝送を行う際に、電磁干渉によって信号に歪を生じやすい。そこで、光ファイバを用いて信号伝送を行った。光ファイバは光線信号を伝送できるガラス繊維で構成し、一本の細いガラス繊維で従来の太いケーブルを代替することができ、伝送効率が高く、歪も非常に小さい（電磁干渉を受けないため）という長所があるため、信号伝送分野で重要な地位を占めるようになってきている。
【０００３】
しかし、上述の音声信号プラグ（オーディオプラグ）と光ファイバ信号の円柱形プラグ（ＣＩＲＣＵＬＡＲ  ＴＹＰＥ  １  ＰＬＵＧ）の外形も寸法も等しいが、関連業者は製造時にみな上述の音声信号コネクタと光ファイバ信号コネクタを別々に独立して設置している。そのため、ホスト側の回路基板空間を余計に使用してしまい、組み立て時にもそれぞれ作業することでコストも時間もかかる。更に、今日多くの家電ＡＶ製品が軽薄短小をセールスポイントとしているため、製品を軽薄短小化すればその内部回路基板の使用できる空間はそれに伴って大幅に縮小する。また科学技術の発展に伴い製品の付加機能も増加しており、上述のように公知の音声信号コネクタと光ファイバ信号コネクタを分けて独立設置する設計では今日の趨勢に適合できず、大きな改良の余地がある。
【考案の開示】
【考案が解決しようとする課題】
【０００４】
公知技術の課題を解決し、音声信号コネクタの収容空間内に光電変換モジュールを収容して、音声信号コネクタが同時に電信信号と光電信号伝送の機能を具えるようにした光電変換機能を具えたコネクタを提供することを課題とする。
【課題を解決するための手段】
【０００５】
音声信号コネクタの収容空間内に光電変換モジュールを収容して、光電変換モジュールの光電変換ユニットを音声信号コネクタのレセプタクルに向かい合わせることにより、光ファイバ信号円柱型プラグをレセプタクルに挿入すれば、光電変換ユニットとともに光電変換回路を形成させる。
【考案の効果】
【０００６】
本考案が提供する光電変換機能を具えたコネクタは、音声信号コネクタであると同時に電信信号と光電信号伝送の機能を具えている。
【考案を実施するための最良の形態】
【０００７】
図１、図２、図３、図４に示すように、本考案は音声信号コネクタ１、スペーサ２及び光電変換モジュール３により構成する。
該音声信号コネクタ１の一側面に複数のレセプタクル１１を設け、レセプタクル１１から離れた別の側面に対応する複数の収容空間１２を設け、収容空間１２内に電信信号端子１３を挿入設置できるようにする。更に、上述の音声信号コネクタ１の底部両側に延伸してフック１４を設ける。
【０００８】
該スペーサ２は台座２１を設け、台座２１の一側部から延伸して複数の光電信号端子２３を挿入設置できるベース２２を設ける。またスペーサ２の台座２１に複数の通孔２１１を設ける。更に、上述の光電信号端子２３の一端を彎曲して当接部２３１とする。スペーサ２の台座２１の両側前端から延伸してフック受部２１２を設ける。
【０００９】
該光電変換モジュール３に固定孔３１１を具えた基板３１を設け、固定孔３１１から離れた別の面に容室３１２を設け、容室３１２の両側壁面に突出してフック３１２１を設け、容室３１２内に光電変換ユニット３２を収容できるようにする。基板３１の容室３１２にも受けた３１２１は光電変換ユニット３２の表面が承接できるようにして固定を形成する（同時に図４を参照）。更に、光電変換ユニット３２の一側から延伸して複数の信号端子３２１を設け、信号端子３２１の末端を彎曲して接触部３２１１とする。
【００１０】
図５、図６、図７に示すように、本考案は組み立て時にまずスペーサ２の台座２１に設けた複数の通孔２１１に音声信号コネクタ１の電信信号端子１３を挿入し、音声信号コネクタ１の底部端に延伸して設けたフック１４をスペーサ２の台座２１前端に設けたフック受部２１２内に弾性係合して固定する。この時、光電変換モジュール３の基板３１を音声信号コネクタ１の収容空間１２内に嵌入させ、光電変換モジュール３のフレーム３１に設けた固定孔３１１が音声信号コネクタ１のレセプタクル１１に向かい合うようにし、光電信号端子２３の当接部２３１は信号端子３２１の接触部３２１１と電気的接続を形成する。更に、上述の構成部品を組み立て完了後、音声信号コネクタ１の外周をシールドハウジング４で覆い包んで、シールドハウジング４で外来信号の電磁波干渉から効果的に隔離することができる。
【００１１】
図８、図９に示すように、上述の構成部品を組み立て完了後、光ファイバ信号円柱型プラグ５を音声信号コネクタ１のレセプタクル１１に挿入でき、光ファイバ信号円柱型プラグ５の端面を光電変換モジュール３の基板３１に設けた固定孔３１１内に嵌入させて、光電変換ユニット３２とともに光電変換回路を形成することができる。更にスペーサ２の光電信号端子２３により光電信号を伝送できる。また、使用者が音声信号プラグ６を挿入すると、音声信号コネクタ１の電信信号端子１３は音声信号プラグ６と電気的接続を形成し、音声信号コネクタ１の電信信号端子１３が電信信号を伝送できるようになる。
【図面の簡単な説明】
【００１２】
【図１】本考案の立体外観図である。
【図２】本考案の立体分解図である。
【図３】本考案の光電変換モジュールの立体外観図である。
【図４】本考案の光電変換モジュールの立体分解図である。
【図５】本考案の組み立て前の側面方向から見た断面図である。
【図６】本考案の組み立て時の側面方向から見た断面図である。
【図７】本考案の組み立て後の側面方向から見た断面図である。
【図８】本考案の好適な実施例の側面方向から見た断面図である。
【図９】本考案のもう一つの好適な実施例の、側面方向から見た断面図である。
【符号の説明】
【００１３】
１         音声信号コネクタ
１１ レセプタクル
１２ 収容空間
１３ 電信信号端子
１４ フック
２ スペーサ
２１ 台座
２１１ 通孔
２１２ フック受部
２２ ベース
２３ 光電信号端子
２３１ 当接部
３ 光電変換モジュール
３１ 基板
３１１ 固定孔
３１２ 容室
３１２１ フック
３２ 光電変換ユニット
３２１ 信号端子
３２１１ 接触部
４ シールドハウジング
５ 光ファイバ信号円柱型プラグ
６ 音声信号プラグ
【図１】
0003106558.tif 000002
【図２】
0003106558.tif 000003
【図３】
0003106558.tif 000004
【図４】
0003106558.tif 000005
【図５】
0003106558.tif 000006
【図６】
0003106558.tif 000007
【図７】
0003106558.tif 000008
【図８】
0003106558.tif 000009
【図９】
0003106558.tif 000010